(57)【要約】      （修正有）【課題】サンプリングドリルがスリップしやすいという技術的課題を解決するように、場所打ちコンクリート杭用の位置決めドリルコア及びドリルを提供する。【解決手段】位置決めドリル２は、使用対象のサンプリングドリル内に套設され、接続固定部を介してサンプリングドリルに接続して固定され、その先端がサンプリングドリルから突出している。場所打ちコンクリート杭用の位置決めドリルは、前溝付きドリルと位置決めドリルコアを含む。前溝付きドリルによって開けられた環状溝は、使用対象のサンプリングドリルによって開けられた環状溝とサイズ、形状が同じであり、接続固定部は位置決めドリルと前溝付きドリルを固定して接続する。まず、位置決めドリル部材で掘削作業を行い、制限基盤を構成し、位置決めドリルによる制限作用によりサンプリングドリルと適合する制限溝を開け、次に、サンプリングドリルに交換して安定的にサンプリングができる。【選択図】図２
0003234937.tif 000002
【実用新案登録請求の範囲】
【請求項１】
場所打ちコンクリート杭用の位置決めドリルコアであって、
接続固定部（１）と位置決めドリル（２）を含み、
前記位置決めドリル（２）は使用対象のサンプリングドリル内に套設され、且つ接続固定部（１）を介して使用対象のドリルに接続して固定され、
位置決めドリル（２）の先端がサンプリングドリルから突出している、ことを特徴とする場所打ちコンクリート杭用の位置決めドリルコア。
【請求項２】
前記接続固定部（１）は回転体であり、前記接続固定部（１）、位置決めドリル（２）及び使用対象のサンプリングドリルの３つの中軸線が重なる、ことを特徴とする請求項１に記載の場所打ちコンクリート杭用の位置決めドリルコア。
【請求項３】
前記接続固定部（１）は使用対象のサンプリングドリルに固定して接続される、ことを特徴とする請求項１に記載の場所打ちコンクリート杭用の位置決めドリルコア。
【請求項４】
前記接続固定部（１）は使用対象のサンプリングドリルに取り外し可能に接続される、ことを特徴とする請求項１に記載の場所打ちコンクリート杭用の位置決めドリルコア。
【請求項５】
前記接続固定部（１）はチャックと接続柱を含み、
前記チャックの直径がサンプリングドリルの内径サイズと等しく、前記接続柱が前記チャックの円心を通り抜け、前記接続柱が位置決めドリル（２）に固定して接続される、ことを特徴とする請求項１に記載の場所打ちコンクリート杭用の位置決めドリルコア。
【請求項６】
前記チャックの数が２つであり、２つの前記チャックは互いに平行して設けられる、ことを特徴とする請求項５に記載の場所打ちコンクリート杭用の位置決めドリルコア。
【請求項７】
前記位置決めドリル（２）は長い棒状で前記サンプリングドリルの中軸線の方向に延びており、前記接続固定部（１）は円板状であり、前記接続固定部（１）の直径がサンプリングドリルの内径サイズと等しく、前記位置決めドリル（２）は接続固定部（１）に固定して接続される、ことを特徴とする請求項１に記載の場所打ちコンクリート杭用の位置決めドリルコア。
【請求項８】
前記接続固定部（１）は円形鋼板を用い、前記位置決めドリル（２）はねじ鋼棒を用い、前記ねじ鋼棒は円錐状であり、前記円形鋼板は前記ねじ鋼棒に固定して溶接される、ことを特徴とする請求項７に記載の場所打ちコンクリート杭用の位置決めドリルコア。
【請求項９】
場所打ちコンクリート杭用の位置決めドリル（２）であって、
前溝付きドリル（３）と、請求項１〜８のいずれかに記載の場所打ちコンクリート杭用の位置決めドリルコアとを含み、
前記前溝付きドリル（３）は円筒状であり、前記前溝付きドリル（３）によって開けられた環状溝は、使用対象のサンプリングドリルに開けられた環状溝とはサイズ、形状が同じであり、
前記接続固定部（１）は前記位置決めドリル（２）と前記前溝付きドリル（３）を固定して接続する、ことを特徴とする場所打ちコンクリート杭用の位置決めドリル（２）。
【請求項１０】
前記前溝付きドリル（３）の前記位置決めドリル（２）から離れる側には接続係合溝が設けられ、前記前溝付きドリル（３）は前記接続係合溝を介して掘削機の動力装置に取り外し可能に接続される、ことを特徴とする請求項９に記載の場所打ちコンクリート杭用の位置決めドリル（２）。
【考案の詳細な説明】
【技術分野】
【０００１】
本出願はドリルの技術分野に関し、特に場所打ちコンクリート杭用の位置決めドリルコア及びドリルに関する。
【背景技術】
【０００２】
杭基礎の施工過程において、現場のベース標高の違い、施工場所による制限や施工プロセスの順番の差異などの原因のため、大型工事の現場打ち杭基礎では、杭頭標高まで掘削していない前に杭基礎施工を開始する場合が多く、このため、必然的に杭頭の上部に空穴が生じる。空穴が深く、且つサンプリングドリルとコンクリートとの接触面が環状平面であるため、高速で回転するドリルが空穴の底部まで至ると、サンプリングドリルにはスリップやズレなどの現象が生じやすい。現在、作業者が穴に降り溝開けを行うことにより、サンプリングドリルを位置決めする場合が多い（サンプリングドリルと適合する溝を手動で開けて、サンプリングドリルをこの溝に挿入すると、サンプリングドリルがこの溝の延び方向に沿って捻じ込まれ、これにより、ドリルのスリップやズレが効果的に回避される）。ただし、手動溝開けは作業効率が低く、且つ危険性を伴い、順調に施工することに不利である。
【考案の概要】
【考案が解決しようとする課題】
【０００３】
本出願は、サンプリングの初期段階で従来のサンプリングドリルがスリップしやすいという技術的課題を解決するように、場所打ちコンクリート杭用の位置決めドリルコア及びドリルを提供し、本出願は場所打ちコンクリート杭用の位置決めドリルコア及びドリルを提供する。
【課題を解決するための手段】
【０００４】
上記考案の目的を達成させるために、本出願は下記技術案を採用する。
【０００５】
場所打ちコンクリート杭用の位置決めドリルコアであって、接続固定部と位置決めドリルを含み、
前記位置決めドリルは使用対象のサンプリングドリル内に套設され、且つ接続固定部を介して使用対象のドリルに接続して固定され、
位置決めドリルの先端がサンプリングドリルから突出している。
【０００６】
選択的に、前記接続固定部は回転体であり、前記接続固定部、位置決めドリル及び使用対象のサンプリングドリルの３つの中軸線が重なる。
【０００７】
選択的に、前記接続固定部は使用対象のサンプリングドリルに固定して接続される。
【０００８】
選択的に、前記接続固定部は使用対象のサンプリングドリルに取り外し可能に接続される。
【０００９】
選択的に、前記接続固定部はチャックと接続柱を含み、
前記チャックの直径がサンプリングドリルの内径サイズと等しく、前記接続柱が前記チャックの円心を通り抜け、前記接続柱が位置決めドリルに固定して接続される。
【００１０】
選択的に、前記チャックの数が２つであり、２つの前記チャックは互いに平行して設けられる。
【００１１】
選択的に、前記位置決めドリルは長い棒状で前記サンプリングドリルの中軸線の方向に延びており、前記接続固定部は円板状であり、前記接続固定部の直径がサンプリングドリルの内径サイズと等しく、前記位置決めドリルは接続固定部に固定して接続される。
【００１２】
選択的に、前記接続固定部は円形鋼板を用い、前記位置決めドリルはねじ鋼棒を用い、前記ねじ鋼棒は円錐状であり、前記円形鋼板は前記ねじ鋼棒に固定して溶接される。
【００１３】
場所打ちコンクリート杭用の位置決めドリルであって、前溝付きドリルと、上記場所打ちコンクリート杭用の位置決めドリルコアとを含み、
前記前溝付きドリルは円筒状であり、前記前溝付きドリルによって開けられた環状溝は使用対象のサンプリングドリルによって開けられた環状溝とはサイズ、形状が同じであり、
前記接続固定部は前記位置決めドリルと前記前溝付きドリルを固定して接続する。
【００１４】
選択的に、前記前溝付きドリルの前記位置決めドリルから離れる側には接続係合溝が設けられ、前記前溝付きドリルは前記接続係合溝を介して掘削機の動力装置に取り外し可能に接続される。
【考案の効果】
【００１５】
従来技術に比べて、本出願の実施例による上記技術案は、以下のような利点を有する。
【００１６】
本出願による場所打ちコンクリート杭用の位置決めドリルコアは、接続固定部と位置決めドリルを含み、前記位置決めドリルは使用対象のサンプリングドリル内に套設され、且つ接続固定部を介して使用対象のドリルに接続して固定され、位置決めドリルの先端がサンプリングドリルから突出している。位置決めドリルが使用対象のサンプリングドリルから突出しているので、使用対象のサンプリングドリルが収集対象のサンプルと接触する前に、位置決めドリルは先に収集対象のサンプルと接触し、サンプリングドリルがサンプルに近づく過程において、位置決めドリルは徐々に収集対象のサンプルに入り、サンプリングドリルが収集対象のサンプルと接触したときに、収集対象のサンプルに挿入され又は部分的に挿入されており、位置決めドリルとサンプリングドリルは前記接続固定部により固定され、このように、サンプリングドリルは位置決めドリルによる制限作用でずれることはない。
【００１７】
本考案は、場所打ちコンクリート杭用の位置決めドリルをさらに提供し、前溝付きドリルと、上記場所打ちコンクリート杭用の位置決めドリルコアとを含み、前記前溝付きドリルは円筒状であり、前記前溝付きドリルによって開けられた環状溝は使用対象のサンプリングドリルによって開けられた環状溝とはサイズ、形状が同じであり、前記接続固定部は前記位置決めドリルと前記前溝付きドリルを固定して接続する。サンプリングドリルを使用するに先立って、本出願の技術案による場所打ちコンクリート杭用の位置決めドリルを用いて、サンプリングドリルと形状、サイズが適合する制限溝を収集対象のサンプルに開け、次に、場所打ちコンクリート杭用の位置決めドリルを取り外してサンプリングドリルに交換し、サンプリングドリルを予め開けられた制限溝に沿ってサンプルに捻じ込んでサンプリングし、それにより、制限溝による制限作用によりサンプリングドリルはずれることはない。
【図面の簡単な説明】
【００１８】
ここでの図面は明細書に組み込まれて本明細書の一部を構成し、本考案に適した実施例を示し、明細書とともに本考案の原理を解釈するために使用される。
本考案の実施例又は従来技術の技術案をより明確に説明するために、以下、実施例又は従来技術の説明に必要な図面を簡単に説明するが、明らかに、当業者にとっては、創造的な努力を必要とせずに、これらの図面に基づいて他の図面を得ることができる。
【図１】本出願の実施例による場所打ちコンクリート杭用の位置決めドリルコアの実施可能な構造模式図である。
【図２】本出願の実施例による場所打ちコンクリート杭用の位置決めドリルの実施可能な構造模式図である。
【図３】図２による場所打ちコンクリート杭用の位置決めドリルの側面構造模式図である。
【考案を実施するための形態】
【００１９】
本出願の実施例の目的、技術案及び利点をより明確にするために、以下、本出願の実施例の図面を参照しながら、本出願の実施例の技術案を明確かつ完全に説明するが、明らかに、説明する実施例は本出願の実施例の一部であり、全ての実施例ではない。当業者が本出願の実施例に基づいて創造的な努力を必要とせずに得る他の全ての実施例は、本出願の特許範囲に属する。
【００２０】
一方、図１に示すように、本出願は、接続固定部１と位置決めドリル２を含み、前記位置決めドリル２は使用対象のサンプリングドリル内に套設され、且つ接続固定部１によって使用対象のドリルに接続して固定され、位置決めドリル２の先端がサンプリングドリルから突出している場所打ちコンクリート杭用の位置決めドリルコアを提供する。
【００２１】
位置決めドリル２は掘削ドリルであり、全体が円錐状であり、且つサンプリングドリルから突出している。使用する際に、位置決めドリル２は、まずコンクリートと接触して掘削作業を行い、掘削作業において位置決めドリル２がスリップすることはなく、サンプリングドリルがサンプルに近づく過程において、位置決めドリル２は徐々に収集対象のサンプルに入り、サンプリングドリルが収集対象のサンプルと接触したときに、収集対象のサンプルに挿入され又は部分的に挿入されており、位置決めドリル２とサンプリングドリルとサンプリングドリルは前記接続固定部１により固定され、このように、サンプリングドリルは位置決めドリル２による制限作用でずれることはない。
【００２２】
本考案の選択的な実施形態として、サンプリングドリルは型番ごとに２つがあり、場所打ちコンクリート杭用の位置決めドリルコアはサンプリングドリルに固定して接続される。
【００２３】
接続固定部１は円形板材であり、円形板材の直径のサイズがサンプリングドリル内径のサイズと等しく、位置決めドリル２は長い棒状であり、円形板材の中心を通り抜ける。組み立てられた状態では、接続固定部１の周辺がサンプリングドリルの内側壁に固定して接着され、位置決めドリル２はサンプリングドリルの中軸線の方向に延びており、且つサンプリングドリルから突出している。使用時に、同じ型番の２つのサンプリングドリルを準備して、本出願による場所打ちコンクリート杭用の位置決めドリルコアをその一方のサンプリングドリルに取り付け、場所打ちコンクリート杭用の位置決めドリルコアが取り付けられたサンプリングドリルを用いて穴を予め穴開けておき、サンプリングドリルと形状、サイズが適合する制限溝をコンクリートに開け、その後、場所打ちコンクリート杭用の位置決めドリルコアが取り付けられたサンプリングドリルを取り外し、場所打ちコンクリート杭用の位置決めドリルコアが取り付けられていないサンプリングドリルに交換してサンプリング作業を行い、サンプリングドリルを用いてコンクリートに予め開けられた制限溝に沿ってサンプリングし、このように、サンプリングドリルは、制限溝による制限作用により、コンクリートに安定的に捻じ込まれ、スリップの現象を効果的に回避できる。
【００２４】
なお、接続固定部１は円形に限定されるものではなく、長尺形、Ｘ字形、Ｙ字形などとしてもよく、径方向の固定部の端部がサンプリングドリルの内側壁に当接さればよく、接続固定部１とサンプリングドリルとの固定方式は接着に限定されなく、リベット留め、嵌め込み（接続固定部１は金属材料を用いる）、締まりばめ（材料の熱膨張・冷収縮の特性を利用して組み立てる）などの方式で固定してもよい。
【００２５】
本考案の選択的な実施形態として、場所打ちコンクリート杭用の位置決めドリルコアはサンプリングドリルに取り外し可能に接続される。
【００２６】
接続固定部１は固定ベースと収縮部材を含み、固定ベースの寸法がサンプリングドリル内径の寸法以下であり、位置決めドリル２は固定ベースに固定して接続され、収縮部材は固定ベースに固定して接続されるか、摺動可能に接続され、組み立てられた状態では、サンプリングドリルの径方向において、収縮部材は収縮変化や摺動変化が可能であり、収縮部材の一端は固定ベースから突出してサンプリングドリルと当接してもよく、収縮部材の最上部及びサンプリングドリルの内側壁について滑り止め処理が施され、収縮部材は、十分な正圧を保証する条件で、接続固定部１とサンプリングドリルとを相対的に固定することができ、又は、サンプリングドリルに位置決め溝が開けられ、収縮部材が延びて位置決め溝に挿入されると、接続固定部１とサンプリングドリルを相対的に固定することができる。収縮部材の端部が収縮してサンプリングドリルの内側壁体から離脱し、接続固定部１がサンプリングドリルから分離し、ここで、収縮部材としては、収縮シリンダ、ボルト、位置決めピン等が使用されてもよい。使用する前に収縮部材が収縮状態であり、場所打ちコンクリート杭用の位置決めドリルコアをサンプリングドリルに入れて、所定の位置まで配置すると、収縮部材の伸びを調整して、場所打ちコンクリート杭用の位置決めドリルコアとサンプリングドリルの固定を完成させ、場所打ちコンクリート杭用の位置決めドリルコアが取り付けられたサンプリングドリルをサンプリング装置に取り付け、サンプリングドリルと形状、サイズが一致する制限溝をコンクリートに開け、次に、収縮部材の収縮を調整し、場所打ちコンクリート杭用の位置決めドリルコアを取り外し、サンプリングドリルを制限溝に合わせてサンプリングし、制限溝による制限作用により、サンプリングドリルがコンクリートに安定的に捻じ込まれ、スリップの現象が効果的に回避される。
【００２７】
一方、図２、図３に示すように、本考案は、場所打ちコンクリート杭用の位置決めドリル２を開示し、位置決めドリル２は、前溝付きドリル３と、上記場所打ちコンクリート杭用の位置決めドリルコアとを含み、前記前溝付きドリル３は円筒状であり、前記前溝付きドリル３によって開けられた環状溝は使用対象のサンプリングドリルによって開けられた環状溝とサイズ、形状が同じであり、前記接続固定部１は前記位置決めドリル２と前記前溝付きドリル３とを固定して接続する。
【００２８】
サンプリングドリルを使用するに先立って、本出願の技術案による場所打ちコンクリート杭用の位置決めドリル２を用いて、サンプリングドリルと形状、サイズが適合する制限溝を収集対象のサンプルに開け、次に、場所打ちコンクリート杭用の位置決めドリル２を取り外してサンプリングドリルに交換し、サンプリングドリルを予め開けられた制限溝に沿ってサンプルに捻じ込んでサンプリングし、このように、制限溝による制限作用によりサンプリングドリルがずれることはない。
【００２９】
位置決めドリル２は前溝付きドリル３から突出しており、位置決めドリル２の中軸線が前溝付きドリル３の中軸線と重なる。
【００３０】
前溝付きドリル３は円筒状であり、一端が取り付け端３１であり、他端が溝開け端３２であり、前溝付きドリル３の取り付け端３１とサンプリングドリルの取り付け端３１は、構造が同じであり、サンプリングドリルとは同一のコンクリートサンプリング装置を共用してもよい。前溝付きドリル３の溝開け端３２の外径サイズがサンプリングドリルの外径サイズと等しく、前溝付きドリル３の溝開け端３２の内径がサンプリングドリルの内径以下であり、又は、前溝付きドリル３の溝開け端３２の内径サイズがサンプリングドリルの内径サイズと等しく、前溝付きドリル３の溝開け端３２の外径がサンプリングドリルの外径以上である。位置決めドリル２は前溝付きドリル３の溝開け端３２から突出している。
【００３１】
本考案の選択的な実施形態として、前記接続固定部１は円形鋼板を用い、前記位置決めドリル２はねじ鋼棒を用い、前記前溝付きドリル３の溝開け端３２から突出している前記ねじ鋼棒の一端がドリル研磨部材で先細化処理され、全体が円錐状となり、前記円形鋼板と前記ねじ鋼棒は固定して溶接されるか、一体に成形される。
【００３２】
接続固定部１に使用される円形鋼板の個数は２つであり、２つの前記円形鋼板は前溝付きドリル３内に互いに平行して設けられ、鋼板と前溝付きドリル３には嵌め込みや接着の方式が使用されており、円形の技術案では、内部応力を低減する貫通孔が均等に開けられる。具体的には、前溝付きドリル３の両端の内径サイズは９０ｍｍと同じであり、前溝付きドリル３の取り付け端３１の外径は１０１ｍｍであり、前溝付きドリル３の溝開け端３２の外径は１１０ｍｍであり、円形鋼板の厚さは８ｍｍであり、溝開け端に近い円形鋼板の外面から溝開け端３２の端部までの距離は５０ｍｍであり、ねじ鋼棒の直径は１４〜１６ｍｍであり、ねじ鋼棒は、溝開け端３２から突出している長さが３０〜６０ｍｍである。位置決めドリル２、前溝付きドリル３の具体的な数は上記例に限定されなく、サンプリングドリルの寸法、サンプリング対象のサンプルの材質に応じて適応的に調整してもよい。なお、位置決めドリル２はダイヤモンドなどの他の材質のドリルを用いてもよく、このような場合、接続固定部１は、円形鋼板とねじ鋼棒を含み、ねじ鋼棒は円形鋼板の中心を通り抜け、円形鋼板は前溝付きドリル３の内部に固定して取り付けられ、ねじ鋼棒は前溝付きドリル３の溝開け端３２から突出し、位置決めドリル２はねじ鋼棒のうち溝開け端３２に近い側に固定して取り付けられ、ねじ鋼棒の直径が位置決めドリル２の一端のサイズ以下である。使用時に、まず、場所打ちコンクリート杭用の位置決めドリル２をサンプリング装置に取り付けて、予め穴開けを行い、サンプリングドリルと形状、サイズが適合する制限溝をコンクリートに開け、場所打ちコンクリート杭用の位置決めドリル２の位置決めドリル２が、先にコンクリートと接触して掘削作業を行い、次に、前溝付きドリル３が制限溝を加工し、位置決めドリル２による制限作用により、場所打ちコンクリート杭用の位置決めドリル２はコンクリートに安定的に捻じ込まれる。次に、場所打ちコンクリート杭用の位置決めドリル２を取り外して、使用対象のサンプリングドリルに交換してサンプリング作業を行い、サンプリングドリルがコンクリートに予め開けられた制限溝に沿ってサンプリングし、制限溝による制限作用により、サンプリングドリルがコンクリートに安定的に捻じ込まれ、スリップの現象が効果的に回避される。
【００３３】
なお、本明細書では、例えば「第１」及び「第２」などのような関係用語は１つの実体又は操作を別の実体又は操作と区別するためにのみ使用され、必ずしもこれらの実体又は操作の間に任意のこのような実際の関係や順番が存在することを要求又は暗示するものではない。さらに、用語「含む」、「備える」又は他の任意の変形は非排他的な包含をカバーすることを意図しており、それにより、一連の要素を含むプロセス、方法、物品や装置は当該要素以外、明確に挙げられていない他の要素、又はこのようなプロセス、方法、物品や装置に固有の要素を含む。さらなる制限がない場合、句「１つ……を含む」により限定される要素は、前記要素を含むプロセス、方法、物品や装置に別の同じ要素も存在する場合を排除しない。
【００３４】
以上は本考案の具体的な実施形態に過ぎず、当業者に、本考案を理解又は実現させることができる。これらの実施例に対する様々な修正は当業者にとって自明なことであり、本明細書で定義された一般的な原理は、本考案の趣旨や範囲を逸脱することなく、他の実施例で実現され得る。従って、本考案は本明細書に示された実施例に制限されなく、本明細書で出願した原理や新規性と一致する最も広範な範囲と合致する。
【符号の説明】
【００３５】
１、接続固定部
２、位置決めドリル
３、前溝付きドリル
３１、取り付け端
３２、溝開け端。
【図１】
0003234937.tif 000003
【図２】
0003234937.tif 000004
【図３】
0003234937.tif 000005